(57)【要約】      （修正有）【課題】作業性に優れていると共にクローズド性とオープン性とが調和した複合家具を提供する。【解決手段】座１と背もたれ２から成る椅子部３と、椅子部を囲うサイドパネル４，５とバックパネル６とを有している。一方のサイドパネルの手前にフロントパネル７が配置されており、フロントパネルに、前後回動式の支柱８を介してテーブル板９が前後位置調節可能に取り付けられている。各パネルには、薄い囲い板１１，１２を設けている。テーブル板は前後位置を調節できるため、姿勢等に応じてノートパソコン等を適切な位置において使用できる。囲い板で囲いつつ使用者の前方は開口しているため、クローズド性とオープン性とが調和した環境を実現できる。【選択図】図１
2020058832.tif 000002
【特許請求の範囲】
【請求項１】
座及び背もたれを有する椅子部と、前記椅子部の手前に配置されたテーブル板とを備えており、
前記椅子部の左右外側のうち少なくとも片側に、着座した人の肘程度の高さかそれ以上の高さのサイドパネルが配置されており、前記サイドパネルに、前記椅子部の手前側に突出したフロントパネルを一体に又は別体に設けて、前記フロントパネル又はこれに連結された部材に、前記テーブル板が前後位置変更可能に取り付けられている、
椅子部及びテーブル板付き複合家具。
【請求項２】
前記テーブル板は、前記椅子部から最も遠くに離れた状態では略水平姿勢で、水平に対して後傾しながら前記椅子部に近づくように設定されている、
請求項１に記載した椅子部及びテーブル板付き複合家具。
【請求項３】
前記フロントパネルの内側面に、上下に長い支柱が、その下端部を支点にして前後に回動するように取り付けられていて、前記支柱の上端に前記テーブル板が取り付けられており、前記テーブル板は、側面視姿勢を変えつつ前後移動するようになっている、
請求項２に記載した椅子部及びテーブル板付き複合家具。
【請求項４】
前記支柱の回動支点は、前記テーブル板の前端よりも後ろに位置している、
請求項３に記載した椅子部及びテーブル板付き複合家具。
【請求項５】
前記テーブル板は、前記フロントパネル又はこれに連結された部材に対して、前後動自在及び回動可能に取付けられている、
請求項１に記載した椅子及びテーブル板付き複合家具。
【請求項６】
前記椅子部の左右両側にはサイドパネルが配置されて、前記椅子部の後ろにはバックパネルが配置されており、これら左右サイドパネルとバックパネルとは一体に連続しており、片方のサイドパネルの前端面に、別部材として前記フロントパネルが取り付けられている、
請求項１〜５のうちのいずれかに記載した椅子部及びテーブル板付き複合家具。
【請求項７】
前記サイドパネルとバックパネルとフロントパネルとは着座した人の肘が載る程度の高さであって、前記各パネルに薄い囲い板を立設しており、かつ、前記左右サイドパネル及びフロントパネルでは、前記囲い板は左右外側寄りにずらして配置されており、前記サイドパネル及びフロントパネルの上面を、前記囲い板の内側に人の肘を載せ得る面積が残るような左右横幅に設定している、
請求項６に記載した椅子部及びテーブル板付き複合家具。
【請求項８】
前記フロントパネルの前端部に、最も手前に配置された状態でのテーブル板の前端の近傍に位置した前幕板が連結されている、
請求項１〜７のうちのいずれかに記載した椅子部及びテーブル板付き複合家具。
【請求項９】
前記前幕板の下端に、床に接地する底板を一体に設けている、
請求項８に記載した椅子部及びテーブル板付き複合家具。
【請求項１０】
前記サイドパネルは、人の肘を載せ得る程度の左右幅を有しており、前記サイドパネルに、前記椅子部に向けて開口した物品収納用の空洞部を形成している、
請求項１〜９のうちのいずれかに記載した椅子部及びテーブル板付き複合家具。
【請求項１１】
前記テーブル板は、前記椅子部に対して遠近移動する受け部材に取り付けられており、前記受け部材は、物品を収納できる上向きに開口のトレー状であり、前記テーブル板が、前記受け部材に、当該受け部材を開閉するように回動自在に取付けられている、
請求項１〜１０のうちのいずれかに記載した椅子部及びテーブル板付き複合家具。
【発明の詳細な説明】
【技術分野】
【０００１】
本願発明は、椅子部とテーブル板とを備えた執務用複合家具に関するものである。
【背景技術】
【０００２】
従来、オフィスでの執務用家具としては、一般に机と椅子がセットで使用されており、例えば、一人用又は複数人用の机を左右に並べて、多数人が一列に並んで執務を行うスタイルが多かった。机の列を背中合わせに配置することもよく行われている。これらの伝統的なワーキングスタイルでは、特定の人が特定の席を使用するという固定アドレス方式が一般的である。
【０００３】
しかし、近年、オフィスでのワーキングスタイルが大きく変貌しつつある。例えば、特定の席を持たずに、好きな席について仕事をするフリーアドレス方式（ノンテリトアル方式）や、１人用に独立した席で執務するスタイル、或いは、複数人が使用できる席が固まっているグループワーキングスタイルなどである。
【０００４】
これらのワーキングスタイルの変化の背景の一つとして、作業ツールとしてのノートパソコンやタブレット端末などの情報機器の小型化がある。つまり、これらノートパソコンやタブレット端末などは持ち運び自在であるため、特定の席で執務する必要性が無くなり、その結果、フリーアドレス方式が大きく進展している。
【０００５】
他の背景として、ワーカーの創作能力を引き出すための環境作りが進んだことが挙げられる。すなわち、ワーカーの創作能力を高めて知的生産性を上げるには、思索に集中できる環境やリラックスできる環境、或いは、同僚等と討議等して知的刺激を受けることが容易な環境が必要であり、そこで、席の独立化やグループ化が進展している。従って、目的に応じて席を選択できるようにするのが好ましい。
【０００６】
ワーカーの集中力やリラックス性との関係では、ワーカーを取り巻く環境のクローズド性とオープン性とのバランスが重要である。例えば、完全な個室であると、外からの刺激が薄れ過ぎて緊張感が無くなり、却って生産性が落ちてしまうことが多い。他方、広いフロアーに点在しているテーブルを使用して１人で執務する場合のように、過度にオープンな環境であると、他人の動きや会話で気が散ったり他人の視線が気になったりするため、思索に集中し難いのみならず、他人に遠慮してリラックスした姿勢（例えば背伸びや瞑想）も取りづらいと云える。
【０００７】
更に、知的生産性には、ノートパソコンのような機器の操作容易性も密接に関連している。すなわち、ノートパソコンのような機器を手足のように扱いやすい環境であると仕事もはかどるが、機器を使いにくいと、操作に気を取られて肝心の思索が疎かになってしまうのみならず、身体（例えば腕）の負担増を引き起こして疲労を促進することにもなり兼ねない。
【０００８】
そこで、実際の家具（什器）に眼をやると、オープン性の高い家具として、例えば特許文献１，２がある。すなわち、特許文献１，２は、ソファタイプの椅子に折り畳み式のテーブル板を取り付けたものであり、テーブル板を水平姿勢にすると、ノートパソコンを使用することができる。
【０００９】
他方、クローズド性が高い執務用家具として、例えば特許文献３がある。この特許文献３は、平面視卍形の間仕切りで空間を仕切って４つの作業空間を形成したものであり、各
作業空間には、天板が、その背面を間仕切壁に当てた状態で取り付けられている。従って、人は、間仕切壁に向いて作業を行うことになる。
【先行技術文献】
【特許文献】
【００１０】
【特許文献１】特開２０１１−１２５６１６号公報
【特許文献２】特開２００２−５８５６４号公報
【特許文献３】実開平０５−２９３６８号のＣＤ−ＲＯＭ
【発明の概要】
【発明が解決しようとする課題】
【００１１】
上記のとおり、ワーカーの知的生産性を高めるには、作業環境のクローズド性とオープン性との調和、及び、機器（特にノートパソコン）の操作容易性とが重要であるが、特許文献１，２は、メモ台付きパイプ椅子に比べると若干の重厚性はあるものの、オープン性が高すぎるため、執務用に使用しても知的生産性の向上に貢献できるとは言い難い。
【００１２】
また、テーブル板は椅子の側部に取り付けられていて、その全体が座の上に位置しているため、着席・離席に際しては一々テーブル板を跳ね上げて椅子の側部に収納しなければならず、窮屈であってユーザーフレンドリーとは言い難い。
【００１３】
他方、特許文献３は一種の個室になるため、クローズド性が高すぎてこれまた知的生産性の向上が不十分になるおそれがある。また、特許文献３は、通常の机と同様の大きさの天板を間仕切壁で三方から囲った状態になるため、簡便さにも欠けると云える。
【００１４】
本願発明はこのような現状を改善すべく成されたものであり、従来にない斬新でユーザーフレンドリーな構成の複合家具を提供することを目的とするものである。なお、本願では多くの斬新な形態を提示しているが、これら斬新で改良された複合家具を提供することも目的になり得るものである。
【課題を解決するための手段】
【００１５】
本願発明は椅子部及びテーブル板付き複合家具の改良に関するものであり、その基本的な構成は、請求項１のとおり、
「座及び背もたれを有する椅子部と、前記椅子部の手前に配置されたテーブル板とを備えており、
前記椅子部の左右外側のうち少なくとも片側に、着座した人の肘程度の高さかそれ以上の高さのサイドパネルが配置されており、前記サイドパネルに、前記椅子部の手前側に突出したフロントパネルを一体に又は別体に設けて、前記フロントパネル又はこれに連結された部材に、前記テーブル板が前後位置変更可能に取り付けられている」、
というものである。
【００１６】
本願発明は、様々に展開することができる。その例を各請求項で例示している。このうち請求項２の発明は、請求項１において、前記テーブル板は、前記椅子部から最も遠くに離れた状態では略水平姿勢で、水平に対して後傾しながら前記椅子部に近づくように設定されている。なお、請求項２とは異なって、テーブル板の前後位置の調節と姿勢の調節とを別々に行える構成も採用可能である。
【００１７】
請求項２の具体例として請求項３では、前記フロントパネルの内側面に、上下に長い支柱が、その下端部を支点にして前後に回動するように取り付けられていて、前記支柱の上端に前記テーブル板が取り付けられており、前記テーブル板は、側面視姿勢を変えつつ前後移動するようになっている。請求項３の具体例として、請求項４では、前記支柱の回動
支点は、前記テーブル板の前端よりも後ろに位置している。
【００１８】
請求項５では、請求項１において、前記テーブル板は、前記フロントパネル又はこれに連結された部材に対して、前後動自在及び回動可能に取付けられている。
【００１９】
請求項１〜４のうちの任意の請求項の展開例として、請求項６では、前記椅子部の左右両側にはサイドパネルが配置されて、前記椅子部の後ろにはバックパネルが配置されており、これら左右サイドパネルとバックパネルとは一体に連続しており、片方のサイドパネルの前端面に、別部材として前記フロントパネルが取り付けられている。
【００２０】
請求項７は請求項６の展開例であり、この発明では、前記サイドパネルとバックパネルとフロントパネルとは着座した人の肘が載る程度の高さであって、前記各パネルに薄い囲い板を立設しており、かつ、前記左右サイドパネル及びフロントパネルでは、前記囲い板は左右外側寄りにずらして配置されており、前記サイドパネル及びフロントパネルの上面を、前記囲い板の内側に人の肘を載せ得る面積が残るような左右横幅に設定している。
【００２１】
請求項８では、請求項１〜７のうちのいずれかにおいて、前記フロントパネルの前端部に、最も手前に配置された状態でのテーブル板の前端の近傍に位置した前幕板が連結されている。この請求項８の展開例として、請求項９では、前記前幕板の下端に、床に接地する底板を一体に設けている。請求項８において、底板に、人の足を載せるフットサポートを設けることも可能である。請求項８のように前幕板を設けた場合、テーブル板を前幕板に取り付けることも可能である。
【００２２】
請求項１０では、請求項１〜９のうちのいずれかにおいて、前記サイドパネルは、人の肘を載せ得る程度の左右幅を有しており、前記サイドパネルに、前記椅子部に向けて開口した物品収納用の空洞部を形成している。物品収納用の空洞部はフロントパネルに設けることも可能である。
【００２３】
請求項１１では、請求項１〜１０のうちのいずれかにおいて、前記テーブル板は、前記椅子部に対して遠近移動する受け部材に取り付けられており、前記受け部材は、物品を収納できる上向きに開口のトレー状であり、前記テーブル板が、前記受け部材に、当該受け部材を開閉するように回動自在に取付けられている。
【発明の効果】
【００２４】
本願発明では、テーブル板は、椅子部の手前に突出したフロントパネル又はこれに連結された他の部材に設けているため、テーブル板は、通常の机の天板と同様の状態で使用することができる。従って、オフィスでの執務用として好適である。しかも、テーブル板は前後位置を調節できるため、使用者の好みや作業状態等に応じて、テーブル板の前後位置を設定することができる。これにより、知的生産性の向上に大きく貢献できる。
【００２５】
また、テーブル板は座の手前に位置しているため、例えば、テーブル板にノートパソコン等の機器や書類等を載せたままで離席したり再び着席したりすることも容易であり、従って、ユーザーフレンドリーであってオフィス用としても好適である。また、サイドパネルの手前にフロントパネルが突出していることにより、フロントパネルが一種の囲いのような役割を果たすため、個人専用の執務エリアを他人に知らしめるテリトリー画定機能も高くなっている。このため、集中性を高めることができると云える。
【００２６】
テーブル板は姿勢を変えることなく前後位置を変更できる構成でもよいが、請求項２のように、前後位置の変更に応じて側面視姿勢が変わる構成を採用すると、例えば、身体を後傾させた状態でテーブル板を手前に引いた場合など、テーブル板に載せたノートパソコ
ンのキーを操作しやすいと共に、モニターも見やすくすることができる。
【００２７】
つまり、使用者が身体を直立させている場合は、テーブル板を上から見下ろすような状態になるので、テーブル板を略水平姿勢にしておくと、ノートパソコンを操作したり筆記を行うことがやり易い一方、身体を後傾させると、テーブル板を斜め方向から見る状態になるため、テーブル板を水平に対して後傾させておく方がノートパソコンの操作や筆記などを行い易いが、請求項２の構成を採用すると、使用者の姿勢に応じてテーブル板を使いやすい姿勢することが、前後位置の調節に連動して自動的に設定されるのである。
【００２８】
請求項２のようにテーブル板の前後位置と姿勢変更とを一連に行う方法は多々あるが、請求項３のように、前後回動式の支柱を利用すると、簡単な構造によって動きを一連化することができる。また、支柱の回動支点の高さが異なるとテーブル板の前後位置の変化率に対する角度変化の比率も異なるため、前後位置と角度との関係の選択も容易である。
【００２９】
さて、テーブル板にノートパソコンを載置して作業を行う場合、ノートパソコンの液晶モニターは画面と直交した方向から見るのが見やすい特徴があるため、人が上半身を直立させた姿勢では、頭を少し前傾気味にしつつ、ノートパソコンのモニターは鉛直姿勢よりも後ろに傾斜させているが、人が身体を後傾させると、頭は後ろ後退すると共に下方に下がるため、視線が水平に対して成す角度（仰角）は小さくなり、従って、テーブル板を人の側に引き寄せただけでは、いわば、モニターを下方から見上げるのと同じような状態になって、モニターの文字等を視認しづらくなりやすい。
【００３０】
これに対して請求項４の発明では、人が身体の後傾に合わせてテーブル板を身体の方に引き寄せると、テーブル板が前傾して、ノートパソコンのモニターも鉛直に近づくように姿勢が変化するため、身体を後傾させた人の視線が画面と略直交した状態に維持されるように、モニターと視線との関係を適切な状態に自動的に維持することができる。
【００３１】
しかも、支柱が上下に長いことと、回動支点がテーブル板の前端よりも後ろに位置していることとにより、モニターの角度変化の度合いを身体の後傾の度合いに追従させやすくなっていて、視線とモニター画面との関係を適切に維持させやすい。このような点から、請求項４の構成は、ノートパソコンによる作業に好適である。
【００３２】
請求項４のように、支柱の回動支点がテーブル板の前端よりも後ろに位置させると、テーブル板は高さをあまり下がることなく後傾するため、テーブル板の前後位置が変化しても、人は手首の高さをあまり変化させることなく、手を自然に伸ばした状態でノートパソコンを操作することができる。従って、ノートパソコンの操作性にも優れている。
【００３３】
請求項５の構成では、テーブル板の前後位置と角度等を別々に調節できるため、使用者の好み等に応じてテーブル板の状態をきめ細かく調節することができる。
【００３４】
請求項６の構成を採用すると、左右サイドパネルとバックパネルとが一連に繋がっていることによって重厚感が高くなるため、テリトリー画定機能が一層高くなって、使用者が作業に集中できる環境作りに貢献できる。特に、サイドパネルとバックパネルの高さを、着座した人の頭が隠れる程度の高さに設定しておくと、クローズド性が一層高くなるため、使用者が作業に集中できる環境の実現にとって好適である。
【００３５】
サイドパネル及びバックパネルが、例えば、着座した使用者の頭が隠れるか隠れないかといった高さである場合、サイドパネルとバックパネルとによって、使用者を囲う作業空間が区画されるが、特許文献３との違いは、特許文献３では使用者が家具（間仕切装置）の開口部を背にしているのに対して、本願発明ではテーブル板が作業空間の開口部に位置
していて、使用者は、バックパネルを背にして、作業空間の開口方向を向いて着座していることである。
【００３６】
このように、サイドパネル及びバックパネルで囲われた空間を形成しつつ、使用者が開口部の方向を向いていることにより、クローズド性とオープン性とを調和させて、適度の緊張感を持ちつつ作業に集中することができるのであり、これにより、知的生産性を向上できると云える。
【００３７】
請求項６のように、フロントパネルをサイドパネルとは別部材で構成すると、フロントパネルを左のサイドパネルに取り付けた左使い仕様と、フロントパネルを右のサイドパネルに取り付けた右使い仕様とを選択できるため、部材の融通性が高くなる。また、フロントパネルの前後長さや高さなども、サイドパネルとは離れて個別に設計できるため、選択の自由性も高くなる。従って、部材を共用しつつ品揃えを豊富化できる利点がある。
【００３８】
既述のように、サイドパネルとバックパネルとの高さを高くして作業空間のクローズド性を高くすることも可能であるが、この場合は、サイドパネルとバックパネルとは強度メンバーとして機能していて、ある程度の厚さであってしかも透光性はないのが普通であるため、単にサイドパネルとバックパネルとを高くしただけでは、圧迫感が高くなるおそれがある。
【００３９】
これに対して請求項７の構成を採用すると、サイドパネルを肘当てに利用可能とすることによって使用者の利便性を高めつつ、薄い囲い板によって、圧迫感を無くして適度のクローズド性を確保することが可能になる。囲い体を、例えばスリガラス状の樹脂板のように透光性のある非透明な樹脂板で構成すると、圧迫感を無くしつつ適度のクローズド性を確保できるため、特に好適であると云える。
【００４０】
請求項８のように前幕板を設けると、目隠し機能によって作業への集中性を高めることができる。特に、女性が使用する場合には好ましいと云える。また、前幕板の後ろにバッグなどの荷物を隠した状態で置けるという利点もある。更に、前幕板を床に当接させると、フロントパネルと前幕板とが補強し合って安定性が高くなる。このため、椅子部の後ろに位置したバックパネルを備えていなくても自立可能であり、従って、設計の自由性を向上できる。
【００４１】
請求項９のように底板を設けると、自立性・安定性を一層向上できる。また、カバン類も置きやすい。底板にフットサポートを設けると、リラックス性を向上させることができる利点がある。
【００４２】
請求項１０の構成を採用すると、サイドパネルを物品の収納部として利用できるため、重宝である。空洞部に電源コンセントやＵＳＢポートなどを設けて、スマートフォンの充電に利用することも可能である。空洞部は着座した人に向いて開口しており、いわば使用者で塞がれる状態になるため、貴重品置き場としても有益である。
【００４３】
請求項１１の構成を採用すると、受け部材に小物類や貴重品、電源コンセント、電源ケーブなどを収納できるため、重宝である。そして、テーブル板が蓋を兼用しているため、それだけ構造を簡単化できる。
【図面の簡単な説明】
【００４４】
【図１】第１実施形態を示す図で、（Ａ）は手前から見た斜視図、（Ｂ）は分離斜視図である。
【図２】（Ａ）は平面図、（Ｂ）（Ｃ）は複合家具を５連に繋いだレイアウト例であり、（Ｂ）は斜視図で（Ｃ）は平面図である。
【図３】２つの複合家具のレイアウト例であり、（Ａ）は向かい合わせで使用するように配置した例の斜視図、（Ｂ）は（Ａ）の平面図、（Ｃ）は左使いで左右に繋いだ状態の斜視図、（Ｄ）は（Ｃ）の平面図、（Ｅ）は右使いで左右に繋いだ状態の斜視図、（Ｆ）は（Ｅ）の平面図である。
【図４】（Ａ）は図２（Ａ）のIVA-IVA 視断面図、（Ｂ）は（Ａ）のＢ−Ｂ視断面図、（Ｃ）は（Ａ）のＣ−Ｃ視断面図である。
【図５】（Ａ）は使用態様の一例を示す縦断側面図、（Ｂ）は座の変形例である第２実施形態の縦断側面図である。
【図６】（Ａ）は第３実施形態の縦断側面図、（Ｂ）は第４実施形態の縦断側面図である。
【図７】（Ａ）は第５実施形態の縦断側面図、（Ｂ）は第６実施形態の斜視図である。
【図８】第７実施形態を示す図で、（Ａ）は全体の斜視図、（Ｂ）は（Ａ）のＢ−Ｂ視断面図、（Ｃ）は（Ｂ）のＣ−Ｃ視図である。
【図９】（Ａ）は第８実施形態の斜視図、（Ｂ）は第９実施形態の要部断面図である。
【図１０】（Ａ）は第１０実施形態の斜視図、（Ｂ）は第１１実施形態の斜視図である。
【図１１】第１２実施形態を示す図で、（Ａ）はテーブル板を前進させた状態での後ろからの斜視図、（Ｂ）は椅子部を省略した状態での斜視図、（Ｃ）はテーブル板を後退させた状態での斜視図である。
【図１２】第１３実施形態を示す図で、（Ａ）はテーブル板を前進させた状態での斜視図、（Ｂ）はレイアウト例の平面図ある。
【図１３】第１４実施形態を示す図で、（Ａ）はテーブル板を前進させた状態での斜視図、（Ｂ）（Ｃ）は一部分離斜視図である。
【図１４】第１４実施形態を示す図で、（Ａ）はテーブル板を水平姿勢で後退させた状態での斜視図、（Ｂ）はテーブル板を傾けて後退させた状態での斜視図、（Ｃ）はテーブル板を跳ね上げた状態での斜視図である。
【図１５】第１５実施形態を示す図で、（Ａ）はテーブル板を前進させた状態での斜視図、（Ｂ）はテーブル板を後退させた状態での斜視図である。
【図１６】第１６実施形態を示す図で、（Ａ）はテーブル板を前進させた状態での斜視図、（Ｂ）はテーブル板を後退させた状態での斜視図、（Ｃ）はテーブル板を後退させた状態での平面図である。
【図１７】第１６実施形態を下方から見た図である。
【発明を実施するための形態】
【００４５】
次に、本願発明の実施形態を図面に基づいて説明する。本願では、方向を特定するため前後・左右の文言を使用するが、この前後・左右の方向は、椅子部に普通に腰掛けた人の向きを基準にしている。正面視は、着座した人と相対向した方向から見た状態である。テーブル板の前進・後退については、着座者に近づく動きを後退で、着座者から遠ざかる動きが前進になる。
【００４６】
(1).第１実施形態の概要
まず、第１実施形態の概要を、図１及び図２（Ａ）に基づいて説明する。第１実施形態の家具は、座１と背もたれ２とから成る椅子部３と、椅子の左右外側に位置した左右のサイドパネル４，５と、椅子部３の後ろに位置したバックパネル６と、右サイドパネル５の手前に配置されたフロントパネル７とを有しており、フロントパネル７に、支柱８を介してテーブル板９を前後回動自在に取り付けている。テーブル板９は、ノートパソコン（図示せず）を安定的に載せることができる程度の大きさであり、後端には、載置したノート
パソコン等のずれ落ち防止のため、左右横長のストッパー１０を設けている。
【００４７】
左右のサイドパネル４，５とバックパネル６とは、一体に繋がっている。従って、サイドパネル４，５とバックパネル６とにより、前向き開口コ字形の囲いが形成されている。サイドパネル４，５は、着座した人が肘を安定的に載せ得る程度の横幅（例えば２０ｃｍ前後）があり、サイドパネル４，５とバックパネル６とに、樹脂板のような薄い板材からなる囲い板１１を立設している。
【００４８】
サイドパネル４，５の上に位置した囲い板１１とバックパネル６の上に位置した囲い板１１とは、一連に繋がっている。従って、薄板であっても高い安定性がある。囲い板１１は、例えば、乳白色のアクリル樹脂板のように、透光性はあるが不透明な樹脂板を採用できる。もとより、透光性のない板材も採用可能である。スクリーン状（膜状）のものも使用可能である。
【００４９】
囲い板１１は、着座者の頭が隠れる程度の高さに設定しているが、着座者の肩程度の高さに設定したり、着座者の頭よりも高い高さに設定たりすることも可能である。また、例えば、サイドパネル４，５の個所の高さをバックパネル６の個所の高さよりも低くしたり、サイドパネル４，５の個所では手前に向けて高さ低くなるように、上面を傾斜させたりすることなども可能である。
【００５０】
また、囲い板１１は、サイドパネル４，５及びバックパネル６の外側寄りにずらした状態に配置している。このため、着座者は、サイドパネル４，５の上面に肘を安定的に載せることができる。従って、サイドパネル４，５を肘当てとして使用可能である。また、サイドパネル４，５の上面には、筆記具や冊子、スマートフォンなどの物品を載置することができる。すなわち、サイドパネル４，５は、物品載置台としても使用できる。
【００５１】
本実施形態では、フロントパネル７は中空で角形の箱状に形成されており、サイドパネル４，５と略同じ左右横幅に設定されている。上面には、囲い板１１の一方の側部と平面視で一直線になるように外側に寄せた状態で前部仕切り板１２を立設している。従って、フロントパネル７の上面は、物品載置台として使用できるし、マウス操作のような作業面としても使用可能である。前部仕切り板１２は、囲い板１１と同じ材料で構成するのが好ましい。また、両者はジョイントで連結するのが好ましい。
【００５２】
フロントパネル７は平面視長方形になっているが、例えば、前広がり又は前窄まり台形など、他の平面視形状も採用できる。また、他の実施形態として説明するように中空構造でなくてもよいし、更には、支柱に天板を取り付けたような態様でもよい。
また、遮蔽機能の点からは、面的な広がりを持つパネル状であることが好ましいが、テーブル板９を取り付ける機能の面からは、例えば支柱の上端に天板やフレーム材を設けた構造でもよい。従って、用語としては、フロントパネルの文言よりも、遮蔽機能、テーブル板取り付け機能、作業台機能のうちの少なくとも一つを備えた前部部材と称することが適切であるとも云える。
【００５３】
図２（Ａ）に明示するように、左右のサイドパネル４，５は、手前に向けて間隔で広がるように、平面視で前後長手の中心線に対して若干の角度だけ前広がりに傾斜している。従って、椅子部３と左右サイドパネル４，５及びバックパネル６とからなる家具本体部は、平面視で台形状の形態になっている。他方、フロントパネル７は、前後長手の中心線と平行に配置されている。従って、フロントパネル７とサイドパネル５とは、平面視で屈曲した姿勢に配置されている。
【００５４】
支柱８は、上下長手の基部８ａの下端に後ろ向き部８ｂを設けたＬ形の形態を成してお
り、後ろ向き部８ｂの後端が、フロントパネル７の内面に回動可能に連結されている。支柱８の基部８ａが鉛直姿勢の状態ではテーブル板９は略水平姿勢になっており、かつ、後ろ向き部８ｂは、水平姿勢では床面に安定的に載っている。後ろ向き部８ｂの後端を中心にして回動することの利点は後述する。
【００５５】
(2).複数家具のレイアウト例
フロントパネル７はサイドパネル４，５とは別体であり、左右いずれのサイドパネル４，５にも連結可能である。また、フロントパネル７は左右の側面を有するが、テーブル板９はいずれの側面にも取り付け可能である。これらフロントパネル７の連結位置と、テーブル板９の配置位置とを適宜組み合わせることにより、様々なレイアウトを実現できる。その例を図２（Ｂ）〜図３に示している。
【００５６】
図２（Ｂ）（Ｃ）に示すレイアウト例では、多数の家具を、開口方向を交互に変えた状態で左右に連結しており、従って、多数の家具によって平面視でジグザグの状態が形成されている。従って、両端の家具を除いた中間位置の家具では、使用者の前方に通路状の空間が空いている。すなわち、中間位置の家具は奥まった状態になっている。このため、クローズド性は高くなっている。このレイアト例では、前後に配置された家具の間には、フロントパネル７は１つしか配置されていない。
【００５７】
図２（Ｂ）（Ｃ）のレイアウト例では、テーブル板９が着座者の右寄りに位置した右使い仕様と、テーブル板９が着座者の左寄りに位置した左使い仕様とが、左右に交互に並んでいる。従って、左右に隣り合ったテーブル板９の間隔は一定になっている。
【００５８】
隣り合った家具において、サイドパネル４，５とフロントパネル７とは、同一面を成して直列に並んでいる。このため、囲い板１１と前部仕切り板１２とを設けると、それら囲い板１１の前端と前部仕切り板１２の前端との間に隙間が空く。この隙間は、隣り合った人とのコミュニケーションに積極的に利用することも可能であるし、塞ぐことも可能である。
【００５９】
隙間を塞ぐ場合は、サイドパネル４，５の前端縁に前板を設けて、囲い板１1 の前端を平面視Ｌ形に構成するか、フロントパネル7 の前端に前板を設けて、前部仕切り板１２を平面視Ｌ形に構成したらよい。着脱式の遮蔽板を囲い板１１又は前部仕切り板１２に取り付けることも可能である。いずれにしても、前板あるいは遮蔽板は、材料及び高さを囲い板１１及び前部仕切り板１２と同じに揃えるのが好ましい。
【００６０】
前後に隣り合った家具を左右にずらして、一方の家具における囲い板１１の前端と、他方の家具における前部仕切り板1 ２の前端とが突き合わさるように配置することも可能であり、この場合、隙間は生じない。
【００６１】
既述のとおり、家具の群の両端を除いた中間の家具の前方には通路状の空間が空くが、左右のサイドパネル４，５でハ字の形態が構成されているため、通路状の空間は、入り口が広がっている。このため、人が出入りしやすくなっている。また、ある程度の開放感があるため、圧迫感の抑制にも貢献できる。
【００６２】
図３（Ａ）（Ｂ）では、２つの家具が前後に向かい合わせに配置されている。このため、２つの家具によって略Ｃ字形の空間が形成されている。前後の家具のテーブル板９は、手前に回動していない状態では、互いに背中合わせ状に当接又は近接している。この実施形態では、２つの家具によって、１つの出入り口を有する空間が構成されている。このため、全体としてクローズド性は高くなっている。従って、商談や秘密性の高い打合せのように、外部との遮蔽性を高くしたい場合に好適である。
【００６３】
図３（Ｃ）（Ｄ）のレイアウト例では、それぞれフロントパネル７を有する２つの家具が、開口方向を左右にずらしつつ、逆方向に開口するように配置されている。隣り合った家具の境界部に２つのフロントパネル７があるため、前後の家具の間隔は、図２（Ｂ）（Ｃ）の場合よりも長くなっている。
【００６４】
（Ｃ）（Ｄ）のレイアウトでは、テーブル板９を使用者の左側に寄せた左使い仕様になっているが、図３（Ｅ）（Ｆ）に示すレイアウト例では、テーブル板９を使用者の右側に寄せた右使い仕様になっている。（Ｃ）（Ｄ）のレイアウト例にしても、（Ｅ）（Ｆ）のレイアウト例にしても、これらを１単位として複数単位を左右に連結することが可能であり、この場合は、図２（Ｂ）（Ｃ）のレイアウトに似た形態になる。
【００６５】
フロントパネル７は、左のサイドパネル４にテーブル板９を取り付ける左使い仕様と、右のサイドパネル５にテーブル板９を取り付ける右使い仕様とがあるが、これら左使い仕様と右使い仕様とは、予め専用品として用意しておいてもよいし、１種類のフロントパネル７の右側面と左側面とに支柱８を付け替えることで対応してもよい。
【００６６】
（Ｃ）〜（Ｆ）の態様では、前後に並んだ２つのフロントパネル７にそれぞれテーブル板９を取り付けているが、前後の家具で１つのフロントパネル７を共用して，その両面にテーブル板９を取り付けることも可能である。この場合も、両面にテーブル板９が取り付けられたものを専用品として用意しておいてもよいし、フロントパネル７を共用して、１つのフロントパネル７の両面にテーブル板９を取り付けてもよい。
【００６７】
図では表示していないが、２つの家具を背中合わせに配置することも可能である。また、同じ方向に開口させた姿勢で左右に並設することも可能である。各レイアウト例において、隣り合った家具は互いに連結してもよいし、単に並べただけでもよい。
【００６８】
本実施形態のように椅子部３を平面視台形に形成すると、家具を単独で使用するにしても複数を並設して使用するにしても、着座・離席を行いやすいという利点がある。特に、図３（Ａ）のように向かい合わせに配置したり、図２（Ｂ）（Ｃ）のようにジグザグ状に配置した場合、出入りの空間を広くとることができて好適である。
【００６９】
さて、例えば、通常の一人用椅子は、使用者の最大横幅と同じ程度の左右横幅である。従って、左右のサイドパネルを備えた状態でテーブル板を設けていると、テーブル板を跳ね上げないと人は着座・離席することができない。
【００７０】
これに対して本願実施形態では、座は、通常の椅子の１．５倍程度の横幅があるため、テーブル板を右か左に寄せておくことにより、テーブル板９の横に人が出入りできる空間を空けることができる。また、支柱８を後傾させていない初期状態では、テーブル板９と座１との間には、人の足を差し込み可能となるように前後に離れている。従って、テーブル板９を跳ね上げ式にしなくても、人は着座・離席することができる。従って、テーブル板９にノートパソコン等の物品を載せたままで、席を立ったり座ったりすることができる。このため、使い勝手が非常によい。
【００７１】
しかも、本実施形態のように椅子部３を平面視台形に形成すると、座１の上の空間が前広がりになるため、人は着座に際して身体を滑り込ませやすいと共に、離席に際しては身体を離しやすくなる。従って、着座・離席の容易性は一層高くなる。また、視覚面（心理面）からも、着座・離席が容易で使いやすい椅子部という印象が強い。なお、サイドパネル４，５は座１の手前に突出させることも可能であるが、この場合は、平面視台形に形成することによる着座・離席の容易性は一層顕著に表れると云える。
【００７２】
(3).構造の具体例
次に、主として図４を参照して、各部位の構造を説明する。本実施形態の各パネル４〜７は、外周板と内周板と天板とを有する中空構造になっている。底板は、有ってもよいし、無くてもよい。外周板や天板は、木製板でもよいし鋼板等の金属板でもよい。樹脂の成形品も採用可能である。いずれにしても、少なくとも人の身体と接触する面には、クロス等の表皮材を張っておくのが好ましい。サイドパネル４，５の上面には、クッション材を設けることも可能である。
【００７３】
座１は、座板１５にクッション材１６を張った構造であり、クッション材１６は表皮材で覆われている。座板１５は、木製板や金属板、樹脂などを必要に応じて選択できる。座板１５は、左右のサイドパネル４，５に掛け渡したステー１７で支持されている（固定されている）。背もたれ２も背板１８にクッション材１９を張った構造であり、背板１８はバックパネル６に固定している。背もたれ２のクッション材１９も、表皮材で覆われている。椅子部３の左右横幅は、通常の椅子よりもやや広幅に設定している。従って、ゆったりとした状態で使用できる。
【００７４】
支柱８の上端には、ブラケット２０が固定されており、ブラケット２０にテーブル板９がビス等で固定されている。支柱８の後ろ向き部８ｂには左右横長の回転軸２１が固定されており、回転軸２１は、カラー２２を介してフロントパネル７の内部に進入している。他方、フロントパネル７の内部には、回転軸２１が嵌まった軸受け筒２３を配置しており、軸受け筒２３は、フロントパネル７の内外側板に固定されている（底板に固定してもよい。）。
【００７５】
軸受け筒２３の左右中途部には上向きに開口したスリット２４が形成されており、このスリット２４の個所において、可動摩擦板２５が回転軸２１に固定されている。そして、軸受け筒２３には、可動摩擦板２５を挟むようにした左右の固定摩擦板２６が固定されており、固定摩擦板２６と可動摩擦板２５とに、摩擦係数が大きい摩擦材２７を貼っている。
【００７６】
テーブル板９に前後方向からある程度の引っ張り力や押し力を作用させると、摩擦材２７の相互間の摩擦に抗してテーブル板９を前後に回動させることができる。テーブル板９から手を離すと、テーブル板９は、ノートパソコンを操作したり筆記作業をしたりした程度では回動しない状態に保持される。
【００７７】
テーブル板９の前後位置（支柱８の姿勢）を保持する手段としては、カラー２２とフロントパネル７との間に摩擦板やコイルバネを配置するなど、様々の手段を採用できる。本実施形態では、テーブル板９の前後位置は無段階で調節できるが、段階的な調節方式も採用可能である。レバー操作でロック状態とロック解除状態とを変更できるロック手段を採用して、レバーをテーブル板９やフロントパネル７に設けることも可能である。
【００７８】
囲い板１１及び前部仕切り板１２の取り付け手段として、図４（Ｃ）に示すように、囲い板１１及び前部仕切り板１２の下端部を挟み保持する受け具２９に下向きの足体３０を設け、この足体３０を、フロントパネル７の内部に固定されて案内部材３１に嵌め入れている。足体３０は、板状であってもよいし棒状であってもよい。受け具２９は、フロントパネル７の外側面や上面にビス等で固定することも可能である。
【００７９】
(4).第１実施形態のまとめ
本実施形態では、テーブル板９は、椅子部３の手前に突出したフロントパネル７に取り付けているため、図２に明示するように、テーブル板９は座１の手前に配置されている。
このため、テーブル板９の姿勢を変えることなく、人は椅子部３に容易に着席・離席することができる。従って、使い勝手がよい。
【００８０】
また、着座者は囲い板１１によってほぼ三方が囲われるため、適度のクローズド性があって作業に集中する環境が整えられている。しかも、着座者の前方は開放されているため、オープン性（開放性）も備えており、上司や同僚が声をかけやすい環境にもなっている（上司の立場からは、作業状態を把握できて管理性にも優れている。）。これらクローズド性とオープン性との調和により、集中と刺激とを調和させて、知的生産性を高めることができる環境になっていると云える。
【００８１】
また、テーブル板９は位置を前後に調節できるため、例えば、着座者の上半身の傾きに応じてテーブル板９の前後位置を変えるというように、人がノートパソコン等を操作しやすい位置に設定することができる。
【００８２】
さて、例えば、着座した人が身体を直立させた姿勢でノートパソコンの操作を行う場合は、人は、頭を前傾気味にしつつ、ノートパソコンのモニターを鉛直線に対して手前に（すなわち、着座した人から遠ざかる方向に）倒しているのが普通であり、モニターは、概ね人の視線が画面と直交する姿勢に設定していることが多い。
【００８３】
他方、着座した人が身体を後傾させると、頭の高さが低くなって眼の位置も低くなるため、モニターが姿勢を変えることなく後ろに平行移動しただけでは、モニターをその画面に対する垂線よりも下方から見る状態になって、文字等の視認性が悪くなるおそれがある。この点、身体の後傾に合わせてモニターの角度を変えればよいと云えるが、一々モニターに手を掛けて角度調節を行うのは手間である。
【００８４】
これに対して本実施形態では、身体の後傾に合わせてテーブル板９を身体の方に引き寄せると、テーブル板９が後傾するためテーブル板９に載置したノートパソコンのモニターも鉛直線に対する傾斜角度が小さくなり、従って、人の視線が画面と略直交した姿勢に保持されるように、モニターと視線との関係が適切な状態に自動的に維持される。従って、ユーザーフレンドリーである。実施形態のように、支柱８を床の近傍においてフロントパネル７に連結すると、支柱の回動スパンが長くなって、身体の後傾角度の度合いと支柱８の後傾角度の度合いとを追従させやすいため、特に好適である。
【００８５】
また、支柱８の回動支点はテーブル板９の下方に位置しているため、支柱８が回動してもテーブル板９の高さはあまり低くはなっていない。従って、人は、手を自然に伸ばした状態でノートパソコンを操作することができる。この点も、本実施形態の大きな利点の一つである。
【００８６】
本実施形態では、支柱８の後ろ向き部８ｂの後端をフロントパネルに回動可能に連結しているが、９図４（Ａ）のとおり、支柱８の連結部は、テーブル板９の後端部のほぼ真下に位置している。すると、図５（Ａ）から容易に理解できるように、テーブル板９は、後傾動に際して、その前端はいったん上昇してから下降する動きを行っている。従って、テーブル板９の全体として見ると、高さが殆ど変わらずに後傾する傾向を呈しており、従って、ノートパソコンの操作性を損なうことなく、テーブル板を大きく後傾させることができる。
【００８７】
なお、支柱８の後ろ向き部８ｂを図よりも更に後ろに延ばして、その後端をフロントパネル７の後端部に連結することも可能である。この場合は、後傾に際してテーブル板９を上昇させることができる。
【００８８】
支柱８の回動支点をテーブル板９の後端部下方に位置させるためには、支柱８はＬ形である必要はない。下端に水平部を持たずに直線状で鉛直姿勢に立ち上がった姿勢や、直線状で前傾した姿勢であってもよい。実施形態とは逆に、支柱を、基部８ａの下端に前向き部を有するＬ形に形成して、基部８ａをテーブル板９の後端近傍に配置することも可能である。この場合も、基部８ａを直立させた状態での安定性が高くなる。支柱８を前後幅が大きい板状に形成して（例えばテーブル板９の前後幅の半分程度の板状に形成して）、その後端部の下端をフロントパネル７に連結することも可能である。
【００８９】
また、ブラケット２０を支柱８の上端部に前後回動可能に取り付けて、テーブル板９を任意の前後位置で任意の角度に調節できるようにすることも可能である。
【００９０】
本実施形態では、家具の上方は開放されており、かつ、囲い板１１及び前部仕切り板１２は透光性があるため、専用の照明はなくてもフロアーの照明で作業を行えるが、より明るい環境を希望する場合は、別途、灯具を設けたらよい。灯具は、囲い板１１や前部仕切り板１２に取り付けることができる。囲い板１１や前部仕切り板１２に、有機ＥＬフィルムのような面発光素材を設けることも可能である。
【００９１】
図示していないが、サイドパネル４，５やフロントパネル７などに、電源用のコンセントや、携帯電話やスマートフォンやタブレット端末用の充電用ＵＳＢポート、或いは、ＬＡＮポートなどを設けることが可能である。更に、サイドパネル４，５の上面やフロントパネル７、或いはテーブル板９に、無線送電機を内蔵することも可能である。
【００９２】
電源用コンセントなどは、例えば、フロントパネル７の上面や側面（テーブル板の９の下方の側面）に前後対称に設けることも可能である。すると、例えば図３（Ａ）（Ｂ）のように２つの家具を向かい合わせに配置するにおいて、前後の家具の間に１台のフロントパネル７を配置しても、向かった人がそれぞれ１つのフロントパネル７から電源等をとることができる。すなわち、１つのフロントパネル７を、対向した人への給電手段として兼用できる。
【００９３】
フロントパネル７の高さを、サイドパネル４，５よりもある程度高くすることにより、フロントパネル７の前面と後面の上部をサイドパネル４，５の上に露出させて、この露出した前面及び後面にコンセントやＬＡＮポート、ＵＳＢポートなどを設けると、コンセントやＬＡＮポート等が使用者の側に向くため、使い勝手は一層よくなってユーザーフレンドリーであると共に、物品の載置面積の減少もない。なお、前後の家具で１つのフロントパネル７を共用する場合は、テーブル板９は前後対称に配置するのが好ましいと云える。
【００９４】
フロントパネルの左右側面にそれぞれコンセント等の給電手段を設けると、図３（Ｃ）（Ｄ）、（Ｅ）（Ｆ）のように、２つの家具を逆向きの姿勢としつつ対向させずに左右にずらして配置した場合、２つの家具の間に１つだけフロントパネル７を配置しても、２つの家具において１つのフロントパネル７を給電等の手段として共用することができる。
【００９５】
(4).第２実施形態
図５（Ｂ）では、椅子部３をリクライニング構造（或いはロッキング構造）にした例を示している。この実施形態では、座１は、左右サイドパネル４，５に設けた前後長手の支持レール３３で支持されているが、座１を、ヒンジ部３４を中心にして屈曲するように前後に区分して、前部１ａと後部１ｂとを、前後のスライダー３５，３６を介して支持レール３３で支持し、かつ、支持レール３３のうち前スライダー３５が装着されている部分は前傾状に傾斜させている。
【００９６】
従って、座１が前進すると、後部１ｂは姿勢を変えることなく前進するが、前部１ａは
下向きに姿勢を変えて前進する。そして、座１の後端に、背もたれ２の下端をヒンジ３７で連結している。なお、座１及び背もたれ２とも、樹脂製等のインナーシェルにクッションを張った構造であり、座１のインナーシェルには、スリットを形成する等してヒンジ３４を形成している。
【００９７】
スライダー３５，３６はばねで後ろ向きに付勢されており、着座者が背もたれ２にもたれ掛かると、ばねに抗して背もたれ２が後傾すると共に座１が前進する。このように、椅子部３にリクライニング構造を採用すると、ノートパソコンの操作を安楽状態で行えるため、優れたアイデアを引き出しやすくなると云える。着座者は囲い板１１で囲われているため、人目を気にせずにリクライニングすることができる。従って、女性にも好適である。
【００９８】
敢えて述べるまでもないが、各種のリクライニング構造を採用できる。座１を屈曲式に構成する場合、前部１ａは姿勢を変えずに前進して、後部１ｂが後傾する構成も採用可能である。もとより、座１は単に前進するだけでもよいし、背もたれ２のみが後傾する構成でもよい。
【００９９】
(5).第３〜６実施形態
図６（Ａ）では、第３実施形態を示している。この実施形態では、まず、支柱８は、外筒３８と内部材３９とが嵌まり合った伸縮方式になっており、内部材３９をフロントパネル７に連結して、外筒３８にテーブル板９を固定している。外筒３８と内部材３９との間に適度の摩擦があり、ある程度の力を掛けて押し引きすると、テーブル板９の高さを調節することができる。通常の使用状態である限り、テーブル板９がずり下がることはない。
【０１００】
支柱８の下端はフロントパネル７に回動可能に連結されているが、連結部に、回動軸心方向に左右動するロック解除ボタン４０を設けている。ロック解除ボタン４０を足でフロントパネル７の側に押すと、ロックが解除されてテーブル板９を前後回動させることができる。ロック解除ボタン４０から足を離すと、支柱８はその回動姿勢に保持される。つまり、ロック解除ボタン４０を押すと、可動ロック部材と固定ロック部材との噛み合いが外れ、ロック解除ボタン４０の押圧を解除すると、可動ロック部材がばねで押されて固定ロック部材に噛み合う。
【０１０１】
支柱８が長いと、テーブル板９がフラ付きやすくなることが懸念される。そこで、この実施形態では、テーブル板９の安定性も考慮している。すなわち、フロントパネル７の上部内面に、支柱８の回動支点を中心にした曲率半径のガイド溝４１（或いは、ガイド体等のガイド手段）を設け、支柱８の上端部に、ガイド溝４１に抜け不能でスライド自在に嵌まるスライダー４２を設けている。外筒３８は、スライダー４２に対して上下動可能に嵌まっている。
【０１０２】
図６（Ｂ）に示す第４実施形態では、フロントパネル７の上部内面に、下向き凹状に湾曲したガイド溝４１（又はガイド体）を設ける一方、テーブル板９が固定されたブラケット２０に、ガイド溝４１に抜け不能でスライド自在に嵌まるスライダー４２を取り付けている。ガイド溝は、フロントパネル７の下端部を中心にした曲率半径の円弧状に形成しているが、後傾姿勢の直線状であってもよい。
【０１０３】
図７（Ａ）に示す第５実施形態では、フロントパネル７に前後長手のガイド溝４１（又はガイド体）を設けて、このガイド溝４１に、スライダー４２を抜け不能で前後スライド自在に装着して、かつ、スライダー４２に、ブラケット２０を前後回動可能に取り付けて、ブラケット２０にテーブル板９を固定している。従って、テーブル板９は前後位置調節可能であり、かつ、前後いずれの位置でも角度を任意に調節できる。
【０１０４】
図７（Ｂ）に示す第６実施形態では、第１実施形態と同様に、前後回動式の支柱８の上端にブラケット２０を取り付けた場合において、ブラケット２０に、テーブル板９が、フロントパネル７の側に跳ね上げできるように取り付けられている。この実施形態では、椅子部３の手前を大きく開放させることができるため、人の出入りが容易である。
【０１０５】
(6).第７実施形態
第１実施形態では、サイドパネル４，５とフロントパネル７とは、内側板と外側板とを有する中空構造に形成されていたが、図８に示す第７実施形態では、サイドパネル４，５とフロントパネル７は、内側板を備えずに外側板の上端に天板を設けた袋構造に形成されている。フロントパネル７は、安定性を高めるため前板７ａを設けている。
【０１０６】
この実施形態では、サイドパネル４，５とフロントパネル７の内部を荷物の載置場所に利用できるため、物品の収納性が高くなる利点がある。座１は、左右サイドパネル４，５の外側板の個所まで延ばしている。従って、バッグや書類等の荷物、或いは、コートなどの衣服は、座１の上に載せておくことができる。
【０１０７】
この実施形態でも、椅子部３をリクランニング構造にすることができるが、この場合、座１の全体を可動的に構成することも可能であるし、一点鎖線で示すように、背もたれ２に対応した部分だけを可動式にすることも可能である。背もたれ２に対応した部分だけを可動式にする場合、当然ながら、座１は左右に三分割される。
【０１０８】
第７実施形態において、テーブル板９は、前後回動式の支柱８の上端に、ブラケット２０及びスペーサ４４を介して取り付けられている。支柱８は板状の形態であり、フロントパネル７の外側板の内面に、ピン４５が回動可能に連結されている。ブラケット３０はフロントパネル７の内部に入り込んでいるため、テーブル板９は、スペーサ４４を介してブラケット２０に固定されている。
【０１０９】
そして、支柱８の上端部に幅広部８ｃを設けて、この幅広部に、ピン４５を中心にした曲率半径のガイド溝４６を形成する一方、フロントパネル７の外側板に、側面視で支柱８の幅広部８ｃと重なる補強板４７を固定し、補強板４７に、ガイド溝４６に抜け不能に嵌まるガイドピン４８を取り付けている。ガイドピン４８には、支柱８と補強板４７との間に位置した摩擦リング４９を嵌め入れている。従って、テーブル板９は、摩擦リング４９の摩擦力によって前後位置と姿勢とが保持されている。
【０１１０】
(7).第８〜１１実施形態
図９（Ａ）では第８実施形態を示している。この実施形態では、サイドパネル４，５とフロントパネル７とは図８と同様に袋状に構成されているが、左サイドパネル４は、上向きの内側板を座１の上方において切除し、座１の下方に上向き開口の物品収納部５０を形成している。
【０１１１】
一点鎖線で示すように、サイドパネル４，５の天板の後部を内側に抉ることも可能である。テーブル板９は、図８の場合と同様の手段により、前後移動可能である。この場合、一点鎖線で示すように、テーブル板９をフロントパネル７の側に跳ね上げる回動できるように構成してもよい。なお、図８，９では囲い板１１，１２は省略している。
【０１１２】
図９（Ｂ）に示す第９実施形態は、図８の実施形態の変形例である。図８の実施形態との相違点は、テーブル板９が、フロントパネル７の内部に入り込み得る高さに設定されていて、リニアレール等のガイド手段５１により、ブラケット２０に左右スライド可能に装着している点である。
【０１１３】
図１０（Ａ）では、第１０実施形態を示している。この実施形態では、まず、サイドパネル４，５とバックパネル６とは、それぞれ内層４′，５′，６′と外層４″，５″，６″の２層構造になっており、サイドパネル４，５の外層４″，５″に、手前と上方とに音聴く開口した切り開き部を形成して、この切り開き部に、樹脂板等の目隠し板５２を装着している。バックパネル６の外層は着座者を囲う高さであるが、不透明な板材からなっている。
【０１１４】
この実施形態では、一方のサイドパネル４の外面に壁板５３を前後スライド可能に装着し、壁板５４の前部をサイドパネル４，５の前方に突出させることによってフロントパネル７を構成している。図では、フロントパネル７に、後付けにより、支柱８を介してテーブル板９を前後動自在に取り付けているが、テーブル板を、フロントパネル７の肉厚部内に入り込むように装着して、フロントパネル７を手前に引き出してから、水平姿勢に倒すことができるように構成することも可能である。
【０１１５】
或いは、テーブル板をフロントパネル７とは分離した構成として、係合穴と係合爪との組み合わせる等により、フロントパネル７に対して着脱式とすることも可能である。更に、フロントパネル７の上部を内側に倒れるように折り曲げ式に構成して、フロントパネルの一部をテーブル板として使用することも可能である。
【０１１６】
壁板５３はサイドパネル４，５と同じ高さになっているが、サイドパネル４，５の内層４′，５′と同じ高さに設定すると、開放性が高くなる。この場合、壁板５３の前部のフロントパネル７に、テーブル板９を、フロントパネル７の外面に重なった折り畳み垂下状態と、座１の手前側に位置した水平跳ね上げ姿勢とに姿勢変更自在に取り付けることも可能である。
【０１１７】
なお、本実施形態及び他の実施形態において、テーブル板９は、条件が許せば、支柱８等の上端に水平回動可能に連結することが可能である。
【０１１８】
図１０（Ｂ）では、第１１実施形態を示している。この実施形態では、サイドパネル４，５及びフロントパネル７は袋構造に構成されており、テーブル板９を取り付けていない側では、図９（Ａ）と同様に、サイドパネル４に上向き開口の物品収納部５０を形成している。また、この実施形態の特徴として、テーブル板９を取り付けていないサイドパネル４は、その前半部を座１の上方において切除している。従って、人は横から家具の内部に容易に出入りできる。
【０１１９】
また、本実施形態では、テーブル板９は、足５４ａを有するスライドフレーム５４に取り付けられているが、スライドフレーム５４は、フロントパネル７に前後動可能に取り付けられている。スライドフレーム５４の足５４ａにはコロ式等のキャスター５５を設けているため、テーブル板９を安定した状態で前後移動させることができる。
【０１２０】
更に、この実施形態では、テーブル板９は、スライドフレーム５４の水平状部に回動自在に取り付けられている。このため、任意の前後位置において側面視姿勢を任意に調節することができる。スライドフレーム５４の足５４ａは、フロントパネル７の反対側に位置した左サイドパネル４の前方側に張り出しているが、左サイドパネル４は大きく切除されているため、人は容易に家具の内部に容易に出入りすることができる。着座者が執務している状態で、スライドフレーム５４の足５４ａが人の足の邪魔になることもない。
【０１２１】
(8).第１２〜１３実施形態（図１１〜１２）
図１２に示す第１２実施形態では、椅子部３は、サイドパネル５から独立したソファ式
又はベンチ式になっており、左右に分離した脚５７を備えている。他方、本実施形態では椅子部３の右側に右のサイドパネル５を配置して、サイドパネル５の前端にフロントパネル７を一体に設けている。従って、サイドパネル５はフロントパネル７とは一体構造になっており、両者の上面は１枚の上板で構成されている。
【０１２２】
そして、サイドパネル５の前端に、左右長手で着座者の前方に位置した前幕板５８を一体に設けており、これにより、パネル５，７と前幕板５８とを自立させている。また、前幕板５８とフロントパネル７とに繋がって床に設置する底板５９も設けている。この底板５９の存在により、パネル５，７と前幕板５８の安定性が格段に向上すると共に、全体として頑丈な構造になっている。前幕板５８の上面は、フロントパネル７から離れるに従って低くなるように、水平に対して少し傾斜しているが、水平に形成してもよい。また、前幕板５８は、テーブル板９よりも高くしてもよい。
【０１２３】
テーブル板９は、板状の回動式支柱８を介してフロントパネル７に取付けられている。支柱８は第１実施形態と同様の手段によって前後に回動可能であり、テーブル板９の動きは第１実施形態と同様である。図１２（Ｂ）に明示するように、前幕板５８の上端はテーブル板９の前端より少し前に位置しているが、両者の前後位置を揃えてもよい。
【０１２４】
本実施形態では、パネル５，７と前幕板５８と底板５９とにより、着座者を右と前から囲うと共にテーブル板９が取付けられた枠状構造体６０が構成されて、この枠状構造体６０と独立した椅子部（椅子）３との組み合わせ家具になっている。従って、各種の椅子部を選択することにより、様々の組み合わせを提供できる。このように、椅子部３（椅子）を分離した態様も、本願発明に含まれる。
【０１２５】
サイドパネル５及びフロントパネル７は、例えば２０ｃｍ前後の横幅があり、着座者が肘を載せることができる。また、上板で筆記作業をしたり、スマートフォン等の端末を操作したりすることができる。勿論、コップやボトル、弁当などを載せることもできる。図１に一点鎖線で示すように、第１実施形態のような従前の実施形態においても、サイドパネル５に空洞部６１（物品収納部）を形成できる。空洞部６１は、フロントパネル７にも形成可能である。
【０１２６】
サイドパネル５に、椅子部３に向けて開口した空洞部６１が形成されている。従って、空洞部６１に、バッグ類や書類などを収納できる。空洞部６１の前面には角形の穴６２を空けており、この穴６２に、コンセントやＵＳＢポートなどを装着したパネルを取り付けることができる。従って、スマートフォンや携帯電話などの充電に便利である。底板５９にはカバンなどの荷物を載置できるが、荷物は前幕板５８で隠れるため、非常に便利である。
【０１２７】
図１２に示す第１３実施形態は、基本的には第１２実施形態と同じであり、相違点は、椅子部３の脚５７がボックス形になっている点だけである。図１２（Ｂ）に示すレイアウト例では、家具を左右に並設するにおいて、右隣の家具の椅子部３の前端が左隣の家具におけるフロントパネル７の前端と揃うように配置している。従って、多数の家具が、前後位置をずらしつつ左右に並設されている。
【０１２８】
従って、家具への出入りに際して隣（左隣）の家具が邪魔になることはない。また、左右に隣り合った家具は前後にもずれているため、人の距離が適度に離れていて、作業に集中することができる。従前の実施形態のように、パネル５，７の外縁に目隠し用の囲いを設けることも可能である。
【０１２９】
(9).第１４，１５実施形態（図１３〜１５）
図１３，１４に示す第１４実施形態も、第１３実施形態と同様に、互いに独立した枠状構造体６０と椅子部３とで構成されている。椅子部３は、ボックス状の脚５７を有するソファタイプになっている。枠状構造体６０は、一体に繋がったサイドパネル５とフロントパネル７、及び、前幕板５８と底板５９とを有しており、前幕板５８は、側面視で前向き突状に緩く湾曲している。
【０１３０】
底板５９には、サイドパネル５の足の裏を当てる傾斜面を有するフットサポート６２が配置されている。フットサポート６２は、底板５９に固定してもよいし、単に載せただけであってもよい。
【０１３１】
本実施形態では、テーブル板９は、上向きに開口した受け部材６３に取付けられており、受け部材６３は、フロントパネル７に前後同自在に設けた円形のスライドバー６４に取付けられている。スライドバー６４は水平で左右横長の姿勢であり、フロントパネル７に形成した長穴６５に沿って前後動する。テーブル板９は、その前端部を中心にして跳ね上げ回動させ得るように、蝶番やピン（いずれも図示せず）で受け部材６３に連結されている。また、受け部材６３は、その後部を中心にして回動させ得るように、スライドバー６４に取付けられている。
【０１３２】
受け部材６３を回動させる方法としては、スライドバー６４は回転不能の構成にして、受け部材６３をスライドバー６４に対して回動可能に取り付ける場合と、スライドバー６４を回転可能及び前後可能にフロントパネル７に取付けて、受け部材６３はスライドバー６４に固定する方法とがある。いずれにしても、摩擦やロック手段により、選択した姿勢を保持できるようになっている。
【０１３３】
この実施形態では、受け部材６３に小物や貴重品を収納できるため、重宝である。ノートパソコンを常備品とする場合は、不使用時には、ノートパソコンを受け部材に格納することができる。従って、スッキリとする。この場合は、施錠機能を持たせると、安全性を確保できる。
図１３（Ｃ）及び図１４（Ｃ）に示すように、受け部材６３の背面部には、コンセントを直接に又はパネルを介して取り付けるための角穴６３ａが空いており、かつ、受け部材６３の前端部には、ケーブルを引出すための切欠き６３ｂを形成している。ケーブルの余長部分は受け部材６３の内部に配置できるため、ケーブルを美麗に処理した状態で作業を行える。この点、本実施形態の利点の一つである。受け部材に、ＬＡＮポートやＵＳＢポートを設けることも可能である。
【０１３４】
また、この実施形態では、テーブル板９は、前後移動と姿勢の回動とが別々の動きになるため、前後位置や角度を着座者の好みに応じて微調整できる。更に、テーブル板９はスライドバー６４に取付けているため、図１４（Ｃ）に一点鎖線で示すように、フロントパネル７に物品収納用の空洞部６１を形成した場合に、テーブル板９の位置に関係なく、物品の出し入れを容易に行える。
【０１３５】
図１４（Ａ）に一点鎖線で示すように、受け部材６３を、前幕板５８にリンク体６８，６９によって取り付けることも可能である。リンク体６８，６９は伸縮可能及び前後回動可能であり、かつ、受け部材６３は、リンク体６８，６９の上端に設けた水平軸に回動可能に取付けられている。従って、テーブル板９は、前後位置と高さと角度とを任意に設定できる。
【０１３６】
図１５に示す第１５実施形態は、右のサイドパネル５と前幕板５８とバックパネル６とでコ字形の枠状構造体６０を形成して、枠状構造体６０の上に、コ字形の囲い板１１（仕切り板）を取付けている。囲い板１１は、従前の実施形態と同様に、不透明で透光性のも
のが好ましい。テーブル板９の取付け構造は、第１４実施形態と同じである。また、椅子部３も第１４実施形態と同じである。
【０１３７】
(10). 第１６実施形態（図１６）
図１６に示す第１６実施形態は、左右のサイドパネル４，５と前幕板５８とを有しており、左右のサイドパネル４，５で椅子部３を支持している。従って、椅子部３は第１実施形態と同様の一体方式である。この実施形態では、背もたれ２にヘッドレスト６６を取付けている。また、図示は省略しているが、背もたれ２はロッキング式であり、背もたれ２が後傾すると座１は前進するようになっている。
【０１３８】
この実施形態では、左右サイドパネル４，５の外面は、平面視で手前に向けて間隔が広がるように傾斜している。この点は第１実施形態と類似している。また、右のサイドパネル５は中空構造であるが、左のサイドパネル５は板状であり、左のサイドパネル４と座１との間に間隔が空いている。そこで、左のサイドパネル４と座１との間に、物品を載置できるトレー６７を配置している。トレー６７は、座面と略同じ高さになっている。
【０１３９】
また、この実施形態では、座１の左右側面が平行になっている一方、右サイドパネル５の外面は傾斜しているため、右のサイドパネル５は、手前に向けて左右幅が広がっている。他方、フロントパネル７は、手前に向けて左右間隔が狭まっている。従って、右サイドパネル５とフロントパネル７とからなるパネルの上面は、前後方向に長い三角形状になっている。
【０１４０】
テーブル板９は、第１実施形態と同様に、回動式の支柱８の上端に取付けられている。従って、前後位置と側面視姿勢とが同時に変化する。この実施形態では、ストッパー１０は板状でテーブル板９の後端から後ろ向きに突出しており、後面は、着座者に向いて凹むように湾曲している。従って、ストッパー１０を着座者の身体に寄せて、ストッパーに着座者の腕や手首を載せることができる。また、ロッキングした状態でも、腕や手首をストッパー１０に載せて、キーボード操作を軽快に行うことができる。この点、本実施形態の利点の一つである。
【０１４１】
図１７に示すように、テーブル板９の前端部下面（ストッパー１０の下方）には、支柱８の姿勢保持ロックを解除するレバー７０を設けている。このレバー７０を手前に引いたり上向きに起こしたりするとロックが解除されて、支柱８を回動させる（テーブル板９を前後動させる）ことが可能になる。このようなレバー７０は、他の実施形態にも適用できる。
【０１４２】
以上、本願発明の実施形態を説明したが、本願発明は、上記の他にも様々に具体化できる。
【産業上の利用可能性】
【０１４３】
本願発明は、実際に家具に具体化できる。従って、産業上利用できる。
【符号の説明】
【０１４４】
１  座
２  背もたれ
３  椅子部
４，５  サイドパネル
６  バックパネル
７  フロントパネル
８  支柱
９  テーブル板
１１，１２  囲い板（目隠し板）
５８  前幕板
５９  底板
６０  枠状構造体
６１  空洞部
６２  フットサポート
【図１】
2020058832.tif 000003
【図２】
2020058832.tif 000004
【図３】
2020058832.tif 000005
【図４】
2020058832.tif 000006
【図５】
2020058832.tif 000007
【図６】
2020058832.tif 000008
【図７】
2020058832.tif 000009
【図８】
2020058832.tif 000010
【図９】
2020058832.tif 000011
【図１０】
2020058832.tif 000012
【図１１】
2020058832.tif 000013
【図１２】
2020058832.tif 000014
【図１３】
2020058832.tif 000015
【図１４】
2020058832.tif 000016
【図１５】
2020058832.tif 000017
【図１６】
2020058832.tif 000018
【図１７】
2020058832.tif 000019
【手続補正書】
【提出日】令和1年12月27日(2019.12.27)
【手続補正１】
【補正対象書類名】特許請求の範囲
【補正対象項目名】全文
【補正方法】変更
【補正の内容】
【特許請求の範囲】
【請求項１】
座及び背もたれを有する椅子部と、前記椅子部の手前に配置されたテーブル板とを備えており、
前記椅子部の左右外側のうち少なくとも片側に、着座した人の肘程度の高さかそれ以上の高さのサイドパネルが配置されており、前記サイドパネルに、前記椅子部の手前側に突出したフロントパネルを一体に又は別体に設けて、前記フロントパネル又はこれに連結された部材に、前記テーブル板が前後位置変更可能に取り付けられている、
椅子部及びテーブル板付き複合家具。